(57)【要約】【課題】使用前のパッケージの状態で取り扱い易いイオントフォレーシス装置包装品を提供する。【解決手段】装置本体１７、装置本体１７に対して電力を供給する電源部６０、および、装置本体１７から延伸し、装置本体１７および電源部６０に電気的および物理的に接続された接続部５６、を有するイオントフォレーシス装置１５と、一面が開放されており、装置本体１７、電源部６０および接続部５６における、一面に対向する他面側を覆うケース８０と、ケース８０の一面に取り付けられ、ケース８０との間で装置本体１７、電源部６０および接続部５６を包装するシート部材７０とを備えるイオントフォレーシス装置包装品１０であって、ケース８０およびシート部材７０は、使用時において装置本体１７から取り外されるとともに当該使用時において電源部６０の外装となるイオントフォレーシス装置包装品１０が提供される。【選択図】図１
2008110057.tif 000002
【特許請求の範囲】
【請求項１】
装置本体、前記装置本体に対して電力を供給する電源部、および、前記装置本体から延伸し、前記装置本体および前記電源部に電気的および物理的に接続された接続部を有するイオントフォレーシス装置と、
一面が開放されており、前記装置本体、前記電源部および前記接続部における、前記一面に対向する他面側を覆うケースと、
前記ケースの前記一面に取り付けられ、前記ケースとの間で前記装置本体、前記電源部および前記接続部を包装するシート部材と
を備えるイオントフォレーシス装置包装品であって、
前記ケースおよび前記シート部材は、使用時において前記装置本体を包装する部分が取り外されるとともに当該使用時において前記電源部を包装する部分が前記電源部の外装となるイオントフォレーシス装置包装品。
【請求項２】
前記ケースおよび前記シート部材のそれぞれは、前記接続部に対応する位置に切れ目を有する請求項１に記載のイオントフォレーシス装置包装品。
【請求項３】
前記シート部材は前記ケースに溶着され、
前記ケースおよび前記シート部材のそれぞれは、前記接続部に対応する位置において前記接続部に溶着される請求項１に記載のイオントフォレーシス装置包装品。
【請求項４】
前記シート部材は、前記接続部に対応する位置に通気孔を有する請求項１に記載のイオントフォレーシス装置包装品。
【発明の詳細な説明】
【技術分野】
【０００１】
本発明は、イオントフォレーシス装置包装品に関する。特に本発明は、薬物イオンをイオントフォレーシスにより経皮的に投与するイオントフォレーシス装置を包装するイオントフォレーシス装置包装品に関する。
【背景技術】
【０００２】
人間または動物の身体の所望部位における皮膚または粘膜などの生体表面（以下、これらをまとめて「皮膚」と称す）に対して、薬物イオンをイオントフォレーシスにより経皮的に投与するイオントフォレーシス装置が知られている（例えば、特許文献１を参照）。なお、イオントフォレーシス（ｉｏｎｔｏｐｈｏｒｅｓｉｓ）は、イオントフォレーゼ、イオン導入法、イオン浸透療法などと呼ばれることもある。
【特許文献１】特開２０００−２２９１２８号公報
【発明の開示】
【発明が解決しようとする課題】
【０００３】
上記特許文献１に開示されているイオントフォレーシス装置は、保管時において、使用者の皮膚と当接してイオントフォレーシスを適用する装置本体の薬液を保持している部分からの気化による薬液の減少、および、気化した薬液による電池など電源部の腐食が課題であった。このような課題に対して、装置本体と電源部とを離して保管することが考えられるが、保管時に携行しにくく取り扱いが難しかった。
【課題を解決するための手段】
【０００４】
上記課題を解決するために、本発明の第１の形態においては、装置本体、装置本体に対して電力を供給する電源部、および、装置本体から延伸し、装置本体および電源部に電気的および物理的に接続された接続部を有するイオントフォレーシス装置と、一面が開放されており、装置本体、電源部および接続部における、一面に対向する他面側を覆うケースと、ケースの一面に取り付けられ、ケースとの間で装置本体、電源部および接続部を包装するシート部材とを備えるイオントフォレーシス装置包装品であって、ケースおよびシート部材は、使用時において装置本体を包装する部分が取り外されるとともに当該使用時において電源部を包装する部分が電源部の外装となるイオントフォレーシス装置包装品が提供される。このようなイオントフォレーシス装置包装品によれば、接続部で接続している電源部と装置本体とを一体的に包装するケースおよびシート部材を備えるので、携行性に優れるなど取り扱いが容易となる。さらに、当該装置の使用時において、ケースおよびシート部材の一部が電源部の外装となるので、簡易な構成により電源部を保護することができる。
【０００５】
上記イオントフォレーシス装置包装品において、ケースおよびシート部材のそれぞれは、接続部と電源部との境界に対応する位置に切れ目を有することが好ましい。これにより、装置本体からケースおよびシート部材を除去する場合に、切れ目を境にケースおよびシート部材を容易に切断することができるので、ケースおよびシート部材の一部が電源部を包装したまま残すことができる。したがって、イオントフォレーシス装置を使用するときに、ケースおよびシート部材の一部により電源部を保護することができる。
【０００６】
また、上記イオントフォレーシス装置包装品において、シート部材はケースに溶着され、ケースおよびシート部材のそれぞれは、接続部と電源部との境界において接続部に溶着されることが好ましい。これにより、イオントフォレーシス装置包装品の保管時に、当該装置における薬液を保持している部分からの気化による薬液の減少、および、気化した薬液による電源部の腐食を防ぐことができる。また、当該装置の使用時に、ケースおよびシート部材の一部が電源部を密閉したままで装置本体からケースおよびシート部材を除去することができるので、電源部を保護することができる。
【０００７】
また、上記イオントフォレーシス装置包装品において、シート部材は、接続部に対応する位置に通気孔を有することが好ましい。これにより、イオントフォレーシス装置包装品の保管時に、当該装置おける薬液を保持している部分から薬液が気化した場合でも、気化した薬液が通気孔を経て外部に飛散するので、気化した薬液による電源部の腐食を抑えることができる。
【０００８】
なお、上記の発明の概要は、本発明の必要な特徴の全てを列挙したものではなく、これらの特徴群のサブコンビネーションもまた、発明となりうる。
【０００９】
また、本明細書における「薬物」は、調製されているか否かに関わらず、病気の治療、回復または予防、健康の増進または維持、病状または健康状態などの診断、あるいは美容の増進または維持などの目的で生体に投与される物質を意味する。
【００１０】
また、本明細書における「薬物イオン」は、薬物がイオン解離することにより生じるイオンを意味する。薬物の薬物イオンへの解離は、薬物を水、アルコール類、酸、またはアルカリなどの溶媒に溶解させることにより生じるものであってもよく、さらに電圧の印加またはイオン化剤の添加等により生じるものであってもよい。
【００１１】
また、本明細書における「薬液」は、薬物イオンを含む流動物をいい、薬物を溶媒に溶解させた溶液、および、薬物が液状である場合における原液などの液体状態のものだけでなく、薬物の少なくとも一部が薬物イオンに解離する限り、薬物を溶媒等に懸濁または乳濁させたもの、および、軟膏状またはペースト状に調製されたものなど種々の状態のものを含む。
【００１２】
また、本明細書における「第１導電型」は、プラスまたはマイナスの電気極性を意味し、「第２導電型」は、第１導電型と反対の導電型（マイナスまたはプラス）を意味する。
【発明を実施するための最良の形態】
【００１３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１４】
図１は、本発明の実施形態に係るイオントフォレーシス装置包装品１０の未使用状態における斜視図を示す。図２は、イオントフォレーシス装置包装品１０の分解斜視図を示す。図３は、使用状態におけるイオントフォレーシス装置１５の斜視図である。図１および図２に示すように、イオントフォレーシス装置包装品１０は、イオントフォレーシス装置１５と、シート部材７０と、ケース８０とを備える。イオントフォレーシス装置１５は、装置本体１７、電源部６０、装置本体１７および接続部５６を有する。イオントフォレーシス装置１５において、接続部５６は、装置本体１７から延伸して装置本体１７と電源部６０とを物理的および電気的に接続する。
【００１５】
シート部材７０は、装置本体シート部７１、接続シート部７２および電源シート部７３を有し、これらは例えばアルミを蒸着またはアルミ箔をラミネートしたＰＥＴ（ポリエチレンテレフタレート）フィルムなどにより一体的に形成される。また、ケース８０は、装置本体ケース部８１、接続ケース部８２および電源ケース部８３を有し、これらは例えばＰＥＴ樹脂などを成形することにより一体的に形成される。
【００１６】
イオントフォレーシス装置包装品１０が未使用状態で保管される場合において、イオントフォレーシス装置１５の一面はシート部材７０に覆われる。また、イオントフォレーシス装置１５におけるシート部材７０で覆われる面と対向する他面側はケース８０に覆われる。このとき、ケース８０のフランジ８５、８６、８７は、シート部材７０と当接しており、これらのフランジ８５、８６、８７におけるシート部材７０と当接している面が溶着される。これにより、イオントフォレーシス装置１５は、シート部材７０およびケース８０によって気密に密閉される。
【００１７】
ここで、イオントフォレーシス装置１５の電源部６０は、基板等が露出した状態で電源シート部７３と電源ケース部８３との間に収納される。よって、電源シート部７３と電源ケース部８３とが溶着されることにより、これら電源シート部７３および電源ケース部８３は電源部６０の外装となる。
【００１８】
また、イオントフォレーシス装置１５の装置本体１７は、装置本体シート部７１と装置本体ケース部８１との間に収納される。なおこの場合に、装置本体ケース部８１の内面、すなわち、イオントフォレーシス装置１５に対向する面には、シリコン等により剥離処理がなされてもよい。また、装置本体ケース部８１における当該内面に、水分を含ませた不織布等を配して、装置本体１７の乾燥を防いでもよい。
【００１９】
また、イオントフォレーシス装置１５の接続部５６は、接続シート部７２と接続ケース部８２との間に収納される。接続シート部７２および接続ケース部８２は、接続部５６における電源部６０との境界に近い側の外周面であるシール部５７において、接続部５６と溶着される。これにより、装置本体シート部７１と装置本体ケース部８１との間に収納されている装置本体１７と、電源シート部７３と電源ケース部８３との間に収納されている電源部６０とは、接続部５６のシール部５７を境に隔離されており、装置本体１７が収納されている部分から電源部６０が収納されている部分への気体の移動を遮断することができる。
【００２０】
接続シート部７２および接続ケース部８２は、これらがシール部５７と溶着している部分よりも装置本体１７に近い側に切れ目９０を有する。イオントフォレーシス装置包装品１０を使用する場合には、シート部材７０を、装置本体シート部７１の側から切れ目９０の側に向けてケース８０から剥がし、続いて、ケース８０における切れ目９０よりも装置本体１７側の部分を切れ目９０で切断して除去する。これにより、図３に示すように、装置本体１７、および、接続シート部７２および接続ケース部８２における切れ目９０よりも装置本体１７側の部分で覆われていた接続部５６の一部が露出して、イオントフォレーシス装置包装品１０は使用状態となる。また、このとき、電源シート部７３および電源ケース部８３は、互いに溶着したままの状態で電源部６０を覆って電源部６０の外装をなしており、接続シート部７２および接続ケース部８２における切れ目９０よりも電源部６０側の部分は、シール部５７で接続部５６と溶着している。したがって、イオントフォレーシス装置包装品１０を使用する場合においても、電源部６０は気密に密閉されている。
【００２１】
このように、イオントフォレーシス装置包装品１０は、接続部５６で接続している電源部６０と装置本体１７とを一体的に包装するケース８０およびシート部材７０を備えるので、未使用状態での携行性に優れるなど取り扱いが容易である。また、イオントフォレーシス装置包装品１０を未使用状態で保管する場合などにおいて、装置本体１７および電源部６０はそれぞれ気密に密閉されており、装置本体１７が収納されている部分から電源部６０が収納されている部分への気体の移動を遮断することができるので、装置本体１７における薬液を保持している部分からの気化による薬液の減少、および、気化した薬液による電源部６０の腐食を防ぐことができる。また、ケース８０およびシート部材７０は切れ目９０を備えているので、イオントフォレーシス装置包装品１０を未使用状態から使用状態とするときに、ケース８０およびシート部材７０の切れ目９０を境にこれらを容易に切断して除去することができる。また、イオントフォレーシス装置包装品１０の使用状態において、ケース８０およびシート部材７０の一部である電源シート部７３および電源ケース部８３が電源部６０の外装となるので、電源部６０を保護することができる。
【００２２】
上記イオントフォレーシス装置包装品１０において、シート部材７０およびケース８０を溶着する方法は、例えばヒートシールにより溶着する方法が挙げられるがこれに限定されない。各種接着剤で接着する方法、または、クリップ等により機械的に圧着する方法により接着もしくは圧着してもよく、これらの方法の組み合わせでもよい。
【００２３】
また、シート部材７０およびケース８０を形成する材料は、非透水性であって酸素または水蒸気などの気体を透過しにくい材料であれば、上記のＰＥＴに限定されず、例えばシート部材７０には、アルミを蒸着またはアルミ箔をラミネートしたポリエステルフィルム、ポリプロピレンフィルム、またはポリエチレンフィルム等を用いることができる。また、シート部材７０およびケース８０をヒートシールによって溶着する場合には、上記フィルム等を複数積層した材料、または、開封時の剥離を容易にするために上記フィルム等に高分子樹脂をコーティングした材料などを用いてもよい。
【００２４】
図４は、本発明の他の実施形態に係るイオントフォレーシス装置包装品１１の未使用状態における斜視図を示す。図１から図３に示すイオントフォレーシス装置包装品１０と同じ参照番号を付したものについては同様の構成であり説明を省略する。イオントフォレーシス装置包装品１１のイオントフォレーシス装置１５は、イオントフォレーシス装置包装品１０のイオントフォレーシス装置１５と同様に、シート部材７０およびケース８０によって気密に密閉され、装置本体シート部７１と装置本体ケース部８１との間に装置本体１７が、接続シート部７２と接続ケース部８２との間に接続部５６が、電源シート部７３と電源ケース部８３との間に電源部６０がそれぞれ収納されている。
【００２５】
図４に示すように、イオントフォレーシス装置包装品１１の接続シート部７２は、接続シート部７２の表面から裏面に貫通する通気孔９５を有する。したがって、イオントフォレーシス装置包装品１１は、接続シート部７２および接続ケース部８２が、接続部５６における電源部６０との境界に近い側の外周面であるシール部５７において、接続部５６と溶着されていない場合でも、イオントフォレーシス装置包装品１１を未使用状態で保管する場合などにおいて、イオントフォレーシス装置包装品１１における薬液を保持している部分から薬液が気化した場合でも、気化した薬液が通気孔９５を経て外部に飛散するので、装置本体１７における薬液を保持している部分から気化した薬液による電源部６０の腐食を抑えることができる。
【００２６】
図５は、イオントフォレーシス装置１５の上面図を示す。図６は、図５のａ−ａ断面における断面図を示す。図５および図６に示すように、イオントフォレーシス装置１５の装置本体１７は、電極部材５０、作用側電極構造体２０、非作用側電極構造体３０、第一支持体４１、第二支持体４２、第三支持体４３を有する。電極部材５０は、基体５１、集電体５２、５３を有する。基体５１は、例えばＰＥＴ樹脂などの可撓性および電気絶縁性を有する材料で形成される。集電体５２、５３は、銀および塩化銀またはカーボンなどの導電性を有する導電材料を含有する導電塗料を印刷などの方法で基体５１の片側の面上に塗膜して形成される。電極部材５０は、集電体５２、５３を皮膚との当接面４５の側に向けて、第一支持体４１と第二支持体４２との間に挟持される。
【００２７】
図５に示すように、接続部５６は、対を成す給電部５４および給電部５５が内部に形成されており、その一端は装置本体１７の第一支持体４１および第二支持体４２の間に挟まれている。接続部５６は、例えばＰＥＴ樹脂など可撓性および電気絶縁性を有する材料をベースとして、その上に給電部５４および給電部５５を銀および塩化銀またはカーボンなどの導電性を有する導電材料を含有する導電塗料を印刷などの方法で塗膜して、さらにその上からベースとした材料を塗膜することにより給電部５４および給電部５５をコーティングして形成される。接続部５６における給電部５４および給電部５５の一方の端部は、電源部６０の第１導電型および第２導電型の端子にそれぞれ接続している。また、接続部５６における給電部５４および給電部５５の他方の端部は、集電体５２および集電体５３とそれぞれ電気的に接続している。
【００２８】
装置本体１７の第二支持体４２および第三支持体４３は、それぞれ所定形状（本実施形態では円形）の２つの開口を有し、これら２つの開口の一方には作用側電極構造体２０の構成部品が、他方には非作用側電極構造体３０の構成部品がそれぞれ配される。第一支持体４１、第二支持体４２および第三支持体４３は、例えば発泡ポリウレタンなどの柔軟な素材が用いられる。したがって、イオントフォレーシス装置１５の当接面４５を凹凸のある皮膚へも容易に当接させることができ、また、使用者が動いた場合でも当接面４５が皮膚から離れにくくすることができる。したがって、使用者は、凹凸のある皮膚へもイオントフォレーシス装置１５の当接面４５を容易に当接させて保持することができる。また、使用者が動いた場合でも当接面４５は皮膚から離れにくい。
【００２９】
作用側電極構造体２０は、第一支持体４１の側から当接面４５の側に向かって、第１電解液保持部２１、第２導電型のイオン選択性膜２２、薬液保持部２４、および、第１導電型のイオン選択性膜２５をこの順に有する。非作用側電極構造体３０は、第一支持体４１の側から当接面４５の側に向かって、第２電解液保持部３１、第１導電型のイオン選択性膜３２、第３電解液保持部３４、および、第２導電型のイオン選択性膜３５をこの順に有する。電極部材５０の集電体５２は、作用側電極構造体２０の第１電解液保持部２１と当接し、また、集電体５３は、非作用側電極構造体３０の第２電解液保持部３１と当接する。
【００３０】
作用側電極構造体２０において、第１電解液保持部２１は、例えば天然繊維、人工繊維の織布または不織布、多孔質膜、あるいはゲルなどの適当な吸収性をもつ担体であり、電解液を保持する。この電解液は、水の電気分解反応（水の酸化および還元反応）と比較して水の酸化還元電位より低い酸化還元電位を有する酸化および還元しやすい化合物が溶解した溶液が用いられる。
【００３１】
第２導電型のイオン選択性膜２２は、第１電解液保持部２１の当接面４５の側に設けられ、第２導電型のイオンを選択的に透過する。薬液保持部２４は、第１導電型の薬物イオンを含む薬液を、例えば天然繊維、人工繊維の織布や不織布、多孔質膜、あるいはゲルなどの適当な吸収性をもつ担体に含浸させて保持する。第１導電型のイオン選択性膜２５は、薬液保持部２４の当接面４５の側に設けられ、第１導電型のイオンを選択的に透過する。
【００３２】
非作用側電極構造体３０において、第２電解液保持部３１および第３電解液保持部３４は、例えば天然繊維、人工繊維の織布や不織布、多孔質膜、あるいはゲルなどの適当な吸収性をもつ担体であり、電解液を保持する。第１導電型のイオン選択性膜３２は、第２電解液保持部３１の当接面４５の側に設けられ、第１導電型のイオンを選択的に透過する。第３電解液保持部３４は、第１導電型のイオン選択性膜３２の当接面４５の側に設けられる。第２導電型のイオン選択性膜３５は、第３電解液保持部３４の当接面４５の側に設けられ、第２導電型のイオンを選択的に透過する。なお、第２電解液保持部３１、および第３電解液保持部３４が保持する電解液は、作用側電極構造体２０の第１電解液保持部２１が保持する電解液と同様に、水の電気分解反応（水の酸化および還元反応）と比較して水の酸化還元電位より低い酸化還元電位を有する酸化および還元しやすい化合物が溶解した溶液が用いられる。
【００３３】
イオントフォレーシス装置１５は、第１導電型のイオン選択性膜２５および第２導電型のイオン選択性膜３５が皮膚に当接した状態で、電源部６０から作用側電極構造体２０および非作用側電極構造体３０に対して、イオントフォレーシスを適用するための電力が供給される（電圧がかけられる）と、作用側電極構造体２０および非作用側電極構造体３０の間に皮膚を介して電流が流れて使用状態となる。
【００３４】
ここで、薬物イオンがアニオンである場合を例に、イオントフォレーシス装置１５の具体的構成についてさらに説明する。この場合、第１導電型は陰であり、第２導電型は陽である。すなわち、作用側電極構造体２０の第１電解液保持部２１と当接する集電体５２はカソードとなり、非作用側電極構造体３０の第２電解液保持部３１と当接する集電体５３はアノードとなる。また、作用側電極構造体２０において、第２導電型のイオン選択性膜２２にはカチオン交換膜を用い、第１導電型のイオン選択性膜２５にはアニオン交換膜を用いる。また、非作用側電極構造体３０において、第１導電型のイオン選択性膜３２にはアニオン交換膜を用い、第２導電型のイオン選択性膜３５にはカチオン交換膜を用いる。
【００３５】
イオントフォレーシス装置１５は、皮膚を介して通電している使用状態において、以下の作用効果を奏する。すなわち、作用側電極構造体２０では、薬液保持部２４が保持する薬液に含まれる薬物イオンは、電気泳動によりカソードである集電体５２と反対側（皮膚側）へ移動し、薬液保持部２４の皮膚側に配されて皮膚と当接する第１導電型のイオン選択性膜２５を透過して速やかに皮膚へ浸透する。これに対し、生体内のカチオンは第１導電型のイオン選択性膜２５を透過して薬液保持部２４側へ移動することがない。したがって、安定した通電状態のもとでイオントフォレーシスにより薬物イオンを生体へ効率よく導入することができる。また、薬液保持部２４に含まれる、アニオンである薬物イオンと対を成すカチオンは、集電体５２側へ移動し、カチオン交換膜である第２導電型のイオン選択性膜２２を透過して第１電解液保持部２１側へ移動する。したがって、通電状態において、薬液保持部２４のイオンバランスが崩れないので、ｐＨの変化は生じにくい。故に、通電抵抗が大きくなりにくいので、薬物イオンの輸送効率の低下を抑えることができる。
【００３６】
非作用側電極構造体３０では、第３電解液保持部３４が保持する電解液に溶解している化合物が水の酸化還元電位より低い酸化還元電位を有する化合物であるので、アノードである集電体５３において、水の電気分解反応は起こらない。したがって、水の電気分解反応で発生する気泡（酸素ガス）によって、集電体５３と第３第３電解液保持部３４の保持する電解液との接触が妨げられることで通電抵抗が大きくなるのを防ぐことができる。
【００３７】
なお、薬物イオンがカチオンである場合は、第１導電型は陽であり、第２導電型は陰である。したがって、図１および図２に示すイオントフォレーシス装置１５における集電体５２および集電体５３の電気的な極性は逆になり、また、第２導電型のイオン選択性膜２２、第１導電型のイオン選択性膜２５、第１導電型のイオン選択性膜３２および第２導電型のイオン選択性膜３５の種類（イオン選択特性）はそれぞれ反対のものになる。
【００３８】
図７は、イオントフォレーシス装置１５の他の例の断面図を示す。イオントフォレーシス装置１５は、上記の作用側電極構造体２０および非作用側電極構造体３０に代えて、図７に示す内部構成を有する作用側電極構造体２６および非作用側電極構造体３６を備えてもよい。
【００３９】
図７に示すイオントフォレーシス装置１５の作用側電極構造体２６は、薬液保持部２７を有する。薬液保持部２７は、上記作用側電極構造体２０の薬液保持部２４と同様に、上記第１導電型の薬物イオンを含む薬液を、例えば天然繊維、人工繊維の織布や不織布、多孔質膜、あるいはゲルなどの適当な吸収性をもつ担体に含浸させて保持する。また、非作用側電極構造体３６は、電解液保持部３７を有する。電解液保持部３７は、上記第２電解液保持部３１および第３電解液保持部３４と同様に、例えば天然繊維、人工繊維の織布や不織布、多孔質膜、あるいはゲルなどの適当な吸収性をもつ担体であり、電解液を保持する。作用側電極構造体２６および非作用側電極構造体３６は、上記の作用側電極構造体２０および非作用側電極構造体３０と比べてより簡易な構造であるので、部品点数を少なくすることができる。
【００４０】
本実施形態において、イオントフォレーシスの適用に供される薬物イオンとしては、例えば次のようなものがある。正に帯電する薬物イオンとして、麻酔剤（塩酸プロカイン、塩酸リドカインなど）、胃腸疾患治療剤（塩化カルニチンなど）、骨格筋弛緩剤（臭化バンクロニウムなど）、抗生物質（テトラサイクリン系製剤、カナマイシン系製剤、ゲンタマイシン系製剤）等が挙げられる。負に帯電する薬物イオンとして、ビタミン（以下、Ｖと略記する）剤（ＶＢ２、ＶＢ１２、ＶＣ、ＶＥ、葉酸など）、副腎皮質ホルモン（ヒドロコルチゾン系水溶性製剤、デキサメサゾン系水溶性製剤、プレドニソロン系水溶性製剤など）、抗生物質（ペニシリン系水溶性製剤、クロウムフェニコール系水溶性製剤）等が挙げられる。
【００４１】
また、イオントフォレーシスを適用するための電圧は、例えば、低周波治療器のようにパルス電圧でもよい。また、徐々に電圧を上げたり、あるいは、下げてもよい。体内を流れる電流は、０．０１〜５ｍＡの範囲が好ましいが、集電体５２および集電体５３の面積や投与部位、さらには被投与者の個体差などによって増減させて、痛みや熱感を与えない程度に設定する。
【００４２】
また、電源部６０は、接続部５６に対して着脱できてもよいが、接続部５６と一体的に成形されたものでもよい。電源部６０には、電池、定電圧装置、定電流装置、定電圧・定電流装置（ガルバノ装置）などが適当であり、接続部５６に対して着脱できる場合、携行性に優れていることが好ましい。
【００４３】
以上、本実施形態によれば、イオントフォレーシス装置包装品１０は、接続部５６で接続している電源部６０と装置本体１７とを一体的に包装するケース８０およびシート部材７０を備えるので、未使用状態での携行性に優れるなど取り扱いが容易である。また、イオントフォレーシス装置包装品１０を未使用状態で保管する場合などにおいて、装置本体１７および電源部６０はそれぞれ気密に密閉されており、装置本体１７が収納されている部分から電源部６０が収納されている部分への気体の移動を遮断することができるので、装置本体１７における薬液を保持している部分からの気化による薬液の減少、および、気化した薬液による電源部６０の腐食を防ぐことができる。特に、装置本体１７と電源部６０とを別パッケージにして使用時に接続する場合に生じる接続の誤り等を防ぐことができる。また、電源部６０を二重パッケージ化するコストを削減することができる。
【００４４】
以上、本発明を実施の形態を用いて説明したが、本発明の技術的範囲は上記実施の形態に記載の範囲には限定されない。上記実施の形態に、多様な変更または改良を加えることができることは当業者に明らかである。その様な変更または改良を加えた形態も本発明の技術的範囲に含まれ得ることが、特許請求の範囲の記載から明らかである。
【図面の簡単な説明】
【００４５】
【図１】本発明の実施形態に係るイオントフォレーシス装置包装品１０の未使用状態における斜視図を示す。
【図２】イオントフォレーシス装置包装品１０の分解斜視図を示す。
【図３】本発明の実施形態に係るイオントフォレーシス装置１５の使用状態における斜視図を示す。
【図４】本発明の他の実施形態に係るイオントフォレーシス装置包装品１１の未使用状態における斜視図を示す。
【図５】イオントフォレーシス装置１５の上面図を示す。
【図６】図５のａ−ａ断面における断面図を示す。
【図７】イオントフォレーシス装置１５の他の例の断面図を示す。
【符号の説明】
【００４６】
１０、１１  イオントフォレーシス装置包装品、１５  イオントフォレーシス装置、１７  装置本体、２０、２６  作用側電極構造体、２１  第１電解液保持部、２２  第２導電型のイオン選択性膜、２４、２７  薬液保持部、２５  第１導電型のイオン選択性膜、３０、３６  非作用側電極構造体、３１  第２電解液保持部、３２  第１導電型のイオン選択性膜、３４  第３電解液保持部、３５  第２導電型のイオン選択性膜、３７  電解液保持部、４１  第一支持体、４２  第二支持体、４３  第三支持体、４５  当接面、５０  電極部材、５１  基体、５２、５３  集電体、５４、５５  給電部、５６  接続部、５７  シール部、６０  電源部、７０  シート部材、７１  装置本体シート部、７２  接続シート部、７３  電源シート部、８０  ケース、８１  装置本体ケース部、８２  接続ケース部、８３  電源ケース部、８５、８６、８７  フランジ、９０  切れ目、９５  通気孔
【図１】
2008110057.tif 000003
【図２】
2008110057.tif 000004
【図３】
2008110057.tif 000005
【図４】
2008110057.tif 000006
【図５】
2008110057.tif 000007
【図６】
2008110057.tif 000008
【図７】
2008110057.tif 000009